(57)【要約】【課題】太鼓帯の着付けは煩雑であり、太鼓帯の結びはできても所望の帯の柄を適確な位置に表現できなかったり、太鼓帯の方形形状が歪まず背中の適正位置に正確に装着されるようにするためには多大の苦労が伴うものであった。【解決手段】この発明は、和服締め込み着用のための名古屋帯等の一定の幅員と長さを有する帯体を複数回折曲して太鼓原形体を形成する際に太鼓原形体の内部に太鼓用枕とを両端部を解除自在に結束した無端状とした背負たすきを収納し、無端状の背負たすきを介して太鼓原形体を背中に背負いながら太鼓帯結束作業を行うことに関する。【選択図】図２１
2019163563.tif 000002
【特許請求の範囲】
【請求項１】
和服締め込み着用のための名古屋帯等の一定の幅員と長さを有する帯体を複数回折曲して太鼓原形体を形成する際に太鼓原形体の内部に太鼓用枕とを両端部を解除自在に結束した無端状とした背負たすきを収納し、無端状の背負たすきを介して太鼓原形体を背中に背負いながら太鼓帯結束作業を行うことを特徴とした太鼓帯結束方法。
【請求項２】
背負たすきを介して太鼓原形体を背中に着用後は両端の結束部を解いた背負たすきを太鼓原形体から取り去る
ことを特徴とした請求項１に記載の太鼓帯結束方法。
【請求項３】
帯体は複数回の折曲により太鼓原形体を形成した後は残余帯部分を略直角に折曲して太鼓原形体内部から横方向に伸延し、胴体巻き付けに充分な結束長さを確定し胴体巻き付けの一巻き分の確定位置にクリップによる目印を形成すると共に、この確定した帯結束の長さをその後の胴体巻き長さの基準とする
ことを特徴とした請求項１又は２に記載の太鼓帯結束方法。
【請求項４】
太鼓原形体作成から太鼓帯結束完了までに使用する結束具としては、少なくとも、名古屋帯等の一定幅員と長さを有する帯体と、帯体を所定の形状に折曲して太鼓原形体を形成した後に太鼓原形体内部に挿通して着用者の手前側で両端を緊締することにより太鼓原形体を着用者の背中に緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとより構成した
ことを特徴とした請求項１乃至３の何れか１項に記載の太鼓帯結束方法。
【発明の詳細な説明】
【技術分野】
【０００１】
この発明は、和服の帯を装着するための太鼓帯結束方法に関する。
【背景技術】
【０００２】
従来、和服に着用する帯は通常名古屋帯と言われるものがある。これは所定の幅と長さを有した日常の和服着用に使用されるもので冠婚葬祭のような特別の状況で着る和服の帯とは異なる。しかし、通常の帯はかかる名古屋帯とは異なる袋帯、半幅帯などの帯も着用されている。本発明では主に名古屋帯を例に取って説明する太鼓帯の着付け方法を提供する（例えば、特許文献１参照）。
【先行技術文献】
【特許文献】
【０００３】
【特許文献１】特開２０１２−２１４９２３号公報
【発明の概要】
【発明が解決しようとする課題】
【０００４】
名古屋帯などの通常使用される典型的な和服帯は、和服の胴部分を巻き背中部分において和服帯特有の太鼓帯を形成することに特徴がある。この太鼓帯は長手帯を所定の形状に結んで背中位置で略正四角形の膨らんだ帯形を形成し帯特有の表柄を最大に表現する手段として和風帯には最も重要な部分となっている。従って、和服の着付けにおいては最終段階での太鼓帯の結束は最も神経を使うところでもあり、着用者の着付けの優劣が評価される個所でもある。
かかる帯の結束を一人で行う場合は太鼓帯部分が身体の後の背中部分に位置するために両手を背中に回し振り返って鏡を見ながら太鼓帯結びの作業をしなければならない。
特に手に障害のある着用者はかかる作業は不可能であり結束のための補助者を必要とする。
しかし、両手に不自由のある者に限らず一般の健常者においてもかかる太鼓帯の結束は煩雑であり、太鼓帯の結びはできても所望の帯の柄を適確な位置に表現できなかったり、太鼓帯の方形形状が歪まず背中の適正位置に正確に装着されるようにするためには多大の苦労が伴う。
これらの原因は、背中で太鼓帯結びの作業をしなければならないことと、その作業の中核を占める太鼓帯内部への太鼓用枕の収納作業、すなわち太鼓帯の形を保持するために太鼓帯内部に収納する枕と言われる太鼓帯特有の重量道具を装着しながら帯結び作業をしなければならないことに起因する。
【０００５】
この発明では、太鼓用枕を内部に収納した太鼓原形体内に環状の紐体を着脱自在に組み込んでこの環状の紐体を介して両肩から背中に太鼓原形体を背負うことができるように構成すると共に、かかる組立て構成を太鼓帯形成に必要な帯や他の部材の結束作業の過程で形成するようにし、更には、特に名古屋帯等の太鼓帯結束作業過程で帯長さを着用者の体型に対応した長さに予め調整しながら必要な他部材との結束作業ができるようにして着用者に最適の太鼓帯結束を可能とし、従来の課題を解決して誰でも和服の太鼓帯を容易に着付けできる太鼓帯結束方法を提供するものである。
【課題を解決するための手段】
【０００６】
この発明は、和服締め込み着用のための名古屋帯等の一定の幅員と長さを有する帯体を複数回折曲して太鼓原形体を形成する際に太鼓原形体の内部に太鼓用枕とを両端部を解除自在に結束した無端状とした背負たすきを収納し、無端状の背負たすきを介して太鼓原形体を背中に背負いながら太鼓帯結束作業を行うことを特徴とした太鼓帯結束方法を提供せんとするものである。
【０００７】
また、太鼓原形体の背中着用後は両端の結束部を解いた背負たすきを太鼓原形体から取り去ることを特徴とする。
【０００８】
また、帯体は複数回の折曲により太鼓原形体を形成した後は残余帯部分を略直角に折曲して太鼓原形体内部から横方向に伸延し、胴体巻き付けに充分な結束長さを確定し胴体巻き付けの一巻き分の確定位置にクリップによる目印を形成すると共に、この確定した帯結束の長さをその後の胴体巻き長さの基準とすることを特徴とする。
【０００９】
また、太鼓原形体作成から太鼓帯結束完了までに使用する結束具としては、少なくとも、名古屋帯等の一定幅員と長さを有する帯体と、帯体を所定の形状に折曲して太鼓原形体を形成した後に太鼓原形体内部に挿通して着用者の手前側で両端を緊締することにより太鼓原形体を着用者の背中に緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとよりなることにも特徴を有する。
【発明の効果】
【００１０】
請求項１の発明によれば、太鼓原形体の内部に太鼓用枕と共に両端部を結束して無端状とした背負たすきを収納し、無端状の背負たすきを介して太鼓原形体を背中に背負い可能に構成したために、着付け時に無端状の背負たすきで太鼓原形体を背中に背負って適正な位置に調整し、既に太鼓原形体の内部に適正に装着挿通されて手前側に引き出された腰紐や帯揚げ等の太鼓帯等の着付けに必要な部材は着用者手前側で緊締操作して太鼓結びを完成することができるために両手を背中側に回して太鼓帯結束作業をする必要がなく身体の手前で正確にかつ迅速に太鼓帯の着付けをすることができる効果がある。
【００１１】
請求項２の発明によれば、太鼓原形体の背中着用後は所定の手段により太鼓原形体から背負たすきを脱去自在としたことにより、例えば背負たすきを一本の細帯体で構成しその両端部同士を結んで無端状に形成すれば太鼓原形体の着用が完了した時点で無端状の背負たすきの両端の結び目をほどけば一本の細帯体となり一端を外方に引っ張れば太鼓原形体の内部から抜去して取り去ることができる効果がある。
【００１２】
請求項３の発明によれば、帯体は複数回の折曲により太鼓原形体を形成した後は残余帯部分を略直角に折曲して太鼓原形体内部から横方向に伸延し、胴体巻き付けに充分な結束長さを確定し胴体巻き付けの一巻き分の確定位置にクリップによる目印を形成すると共に、この確定した帯結束の長さをその後の胴体巻き長さの基準としたので、着用者の体格の大小にかかわらず和服の胴体部に帯体を緊密かつ正確な長さで太鼓帯結束ができる効果がある。
【００１３】
請求項４の発明によれば、太鼓原形体作成から太鼓帯結束完了までに使用する結束具としては、少なくとも、名古屋帯等の一定幅員と長さの帯体と、帯体を所定の形状に折曲して太鼓原形体を形成した後に太鼓原形体内部に挿通して着用者の手前側で両端を緊締することにより太鼓原形体を着用者の背中で緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとより構成したことにより、予め着付けの周辺にこれらの結束具を準備して配置しておくと着付け現場で容易に最小の動作により正確な太鼓帯結束作業を行うことができる効果がある。
【図面の簡単な説明】
【００１４】
【図１】本発明の太鼓帯結束方法を示す第１工程図。
【図２】本発明の太鼓帯結束方法を示す第２工程図。
【図３】本発明の太鼓帯結束方法を示す第３工程図。
【図４】本発明の太鼓帯結束方法を示す第４工程図。
【図５】本発明の太鼓帯結束方法を示す第５工程図。
【図６】本発明の太鼓帯結束方法を示す第６工程図。
【図７】本発明の太鼓帯結束方法を示す第７工程図。
【図８】本発明の太鼓帯結束方法を示す第８工程図。
【図９】本発明の太鼓帯結束方法を示す第９工程図。
【図１０】本発明の太鼓帯結束方法を示す第１０工程図。
【図１１】本発明の太鼓帯結束方法を示す第１１工程図。
【図１２】本発明の太鼓帯結束方法を示す第１２工程図。
【図１３】本発明の太鼓帯結束方法を示す第１３工程図。
【図１４】本発明の太鼓帯結束方法を示す第１４工程図。
【図１５】本発明の太鼓帯結束方法を示す第１５工程図。
【図１６】本発明の太鼓帯結束方法を示す第１５工程−２図。
【図１７】本発明の太鼓帯結束方法を示す第１６工程図。
【図１８】本発明の太鼓帯結束方法を示す第１７工程図。
【図１９】本発明の太鼓帯結束方法を示す第１８工程図。
【図２０】本発明の太鼓帯結束方法を示す第１９工程図。
【図２１】本発明の太鼓帯結束方法を示す第１９工程−２図。
【図２２】本発明の太鼓帯結束方法を示す第２０工程図。
【図２３】本発明の太鼓帯結束方法を示す第２１工程図。
【図２４】本発明の太鼓帯結束方法を示す第２１工程−２図。
【図２５】本発明の太鼓帯結束方法を示す第２２工程図。
【図２６】本発明の太鼓帯結束方法を示す第２３工程図。
【図２７】本発明の太鼓帯結束方法を示す第２４工程図。
【図２８】本発明の太鼓帯結束方法を示す第２５工程図。
【図２９】本発明の太鼓帯結束方法を示す第２５工程−２図。
【図３０】本発明の太鼓帯結束方法を示す第２６工程図。
【図３１】本発明の太鼓帯結束方法を示す第２７工程図。
【図３２】本発明の太鼓帯結束方法を示す第２８工程図。
【図３３】本発明の太鼓帯結束方法を示す第２８工程−２図。
【図３４】本発明の太鼓帯結束方法を示す第２９工程図。
【図３５】本発明の太鼓帯結束方法を示す第２９工程−２図。
【図３６】本発明の太鼓帯結束方法を示す第３０工程図。
【図３７】図２のＡ−Ａ断面説明図。
【図３８】図３のＢ−Ｂ断面説明図。
【図３９】図５のＣ−Ｃ断面説明図。
【図４０】図６のＤ−Ｄ断面説明図。
【図４１】図７のＥ−Ｅ断面説明図。
【図４２】図８に示す帯体の透視説明図。
【図４３】袋帯を示す断面斜視図。
【図４４】袋帯の第１折曲部で折曲した状態を示す断面図。
【図４５】袋帯を第２−２折曲部で折曲した状態を示す断面図。
【図４６】袋帯をクリップ止めした状態を示す断面図。
【図４７】袋帯の処理帯体を裏返した状態を示す断面図。
【図４８】袋帯の断面図説明図。
【発明を実施するための形態】
【００１５】
この発明の要旨は、和服締め込み着用のための名古屋帯等の一定の幅員と長さを有する帯体を複数回折曲して太鼓原形体を形成する際に太鼓原形体の内部に太鼓用枕とを両端部を解除自在に結束した無端状とした背負たすきを収納し、無端状の背負たすきを介して太鼓原形体を背中に背負いながら太鼓帯結束作業を行うことを特徴とした太鼓帯結束方法を提供する。
【００１６】
また、背負たすきを介して太鼓原形体を背中に着用後は両端の結束部を解いた背負たすきを太鼓原形体から取り去ることを特徴とする。
【００１７】
また、帯体は複数回の折曲により太鼓原形体を形成した後は残余帯部分を略直角に折曲して太鼓原形体内部から横方向に伸延し、胴体巻き付けに充分な結束長さを確定し胴体巻き付けの一巻き分の確定位置にクリップによる目印を形成すると共に、この確定した帯結束の長さをその後の胴体巻き長さの基準とすることを特徴とする。
【００１８】
また、太鼓原形体作成から太鼓帯結束完了までに使用する結束具としては、少なくとも、名古屋帯等の一定幅員と長さを有する帯体と、帯体を所定の形状に折曲して太鼓原形体を形成した後に太鼓原形体内部に挿通して着用者の手前側で両端を緊締することにより太鼓原形体を着用者の背中に緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとより構成したものである。
【００１９】
この発明の実施例を図面に基づき詳説する。
図中の符号ａ、ｂ、ｃ、ｄ、ｅ、ｆは、本発明の太鼓帯結束方法に使用する各結束具に関する説明図である。
【００２０】
図１の符号aは、名古屋帯等の一定幅員と長さの帯体を示し、太鼓帯Ｋを形成するための原形の帯体を示す。図９に示すように、この帯体ａは折曲しながら結んでいき太鼓原形体１１を形成しながら他の結束具を補助具として太鼓帯Ｋの結束作業を遂行する。かかる太鼓帯結束で重要なことは太鼓原形体１１の形成に際して太鼓原形体１１の外表面に所望の帯柄１２が現出するような帯折曲結び作業を行うことである。
【００２１】
かかる作業は、図２１、図２２に示すように、無端状の背負たすきｃを介して背中に太鼓原形体１１を背負いながら着用者Ｐの背中Ｐ４で太鼓原形体１１を保持し手前側Ｐ１で着付けの最終作業を正確にかつ容易に行えるようにしたのが本発明の太鼓帯結束方法である。
【００２２】
図５の符号bは、太鼓用枕４０を中央に包被した所定長さの帯揚げを示している。図３４に示すように、帯揚げｂの両端部分ｂ１，ｂ１は太鼓原形体１１から突出させ最終的には着用者Ｐの胴周りＰ５から前面において両端ｂ１，ｂ１を結束して太鼓用枕４０を太鼓原形体内部に保持する。
【００２３】
また、太鼓用枕４０には枕紐４１が連設されており、帯揚げｂと同様に着用者Ｐの胴周りＰ５から前面で両端４２，４２を結束して太鼓用枕４０の固定を行う。
【００２４】
図６の符号cは、無端状の背負たすきを示し、図２１、図２２に示すように、太鼓原形体１１の内部において太鼓用枕４０の周辺に配置し両端部分を太鼓原形体１１の両端から突出させて着用者Ｐの両肩Ｐ２にかけて背中Ｐ４で太鼓原形体１１を背負うようにしている。
【００２５】
図３の符号dは、太鼓原形体作成から太鼓帯結束が完了までに帯体同士の所定位置を固定したり帯の折曲位置の目印とするために使用するクリップを示す。
【００２６】
図３０の符号eは、太鼓帯結束の最後に着用する帯締めを示し、帯体で太鼓原形体１１を形成してその残帯部分を和服の着物胴体Ｗ３に巻き付けた後にその外周を締めるように和服着用者Ｐの胴体の帯体を囲繞する。
【００２７】
図２の符号fは、太鼓原形体１１の第２折曲部１４に挿通した腰紐を示し、図２５に示すように、最終的に結束した太鼓帯Ｋを背部に固定するために胴部の周囲を囲繞して手前側で締結するものである。
【００２８】
図４３は、名古屋帯とは別種の帯体を示し通常袋帯ａ”と称される帯体である。
袋帯ａ”による太鼓帯結束方法は名古屋帯等の帯体ａと略同様であるが、以下においては、特に袋帯において名古屋帯等の帯体ａによる太鼓帯結束方法と異なる場合においてのみ説明する。
【００２９】
袋帯ａ”は通常名古屋帯のように一枚帯ではなく二枚重ねの袋状（筒状）長手帯としたことに特徴を有し、冠婚葬祭等のフォーマルな着付けにおける太鼓帯として使用する。基本的には名古屋帯と同様に幅員を約３０ｃｍとし、長さは名古屋帯よりも長い。
なお、名古屋帯は当初より帯体の中途より幅員を長手方向で半幅員とし、半幅員帯部と通常幅員帯部との境部分は略二等辺三角形の直角折り部ａ’としている。
【００３０】
袋帯ａ”にはかかる直角折り部ａ’は存在せず、当初より所定幅員の帯体として太鼓帯の結束とする。
従って、袋帯ａ”の結束作業に際しては、所定工程において帯体中途を直角に折曲する作業が必要となる。
【００３１】
本発明の太鼓帯結束方法に使用する結束用具は上記のような構成にしており、これらの用具を使用しながら以下のような結束順で太鼓帯の結束が行われる。
【００３２】
［第１工程］
図１に示すように、帯体ａの端部（タレ）において帯体の幅員の長さで正方形を形成するように二度折り曲げ、二度目の折り曲げ部を第２折曲部１４とする。この状態では帯柄１２は表向きとなっている。なお、この折り曲げ操作の際に、タレの端縁部分を人差し指の長さだけ残して飾りタレ１０ｃとする。最終的にはこの残余部分が太鼓原形体１１の下端縁からはみ出し突出する飾りタレとなる。また、帯体ａの最初の折り曲げ部を第１折曲部１３とする。
【００３３】
［第２工程］
図２に示すように、第２折曲部１４の間に腰紐ｆを挿通し腰紐ｆの両端部ｆ１，ｆ１は帯体ａの両側縁部１０ｄ，１０ｄから伸延した状態とする。
なお、図３７は、第２工程の図２の断面説明図である。
【００３４】
［第３工程］
図３に示すように、第１工程で残したタレの飾りタレ１０ｃを裏返しに折り曲げて腰紐位置部分でクリップｄ止めする。
なお、図３８は、第３工程の図３の断面説明図である。
【００３５】
［第４工程］
今までの処理帯体ａを裏返す。図４は第３工程で折り曲げた帯体ａを裏返した状態を示している。裏返した処理帯体ａの表層面には帯体ａの裏側１０ｂが表れている。
【００３６】
［第５工程］
図５に示すように、太鼓用枕４０を中央に包被した所定長さの帯揚げｂを太鼓用枕４０が帯体ａの幅員中央（帯体ａの裏側１０ｂ，１０ｂの重ね代）に位置するように載置する。帯揚げｂは裏返しの帯体ａを横断する状態である。太鼓用枕４０には両端に枕紐４１，４１が連設されて帯揚げｂ同様に着用者Ｐの胴体を巻いて手前側Ｐ１で結束する（図２３参照）。
なお、この際に太鼓用枕４０の従断面した断面半円弧が図３９の表面（帯体の裏側）に位置するように載置する。
なお、図３９は、第５工程の図５の断面説明図である。
【００３７】
［第６工程］
図６に示すように、帯体ａの裏側１０ｂにおいて太鼓用枕４０の周りを囲繞する状態に無端状の背負たすきｃを載置する。背負たすきｃの無端状の両端部３０，３０は帯体ａの両側縁部１０ｄ，１０ｄから伸延した状態とする。
なお、無端状とするための背負たすきｃの解除可能な結束部３１は着付け者の左側に位置するようにしておく。
なお、図４０は、第６工程の図６の断面説明図である。
【００３８】
上記の名古屋帯ａの第１工程〜第６工程が袋帯ａ”の場合は、次のような工程に変更される。第７工程以下においては、名古屋帯ａ、袋帯ａ”共に同様結束工程が実施される。
【００３９】
帯体ａの端部（タレ）において帯体の幅員の長さで正方形を形成するように二度折り曲げ、二度目の折り曲げ部を第２折曲部１４とする。この状態では帯柄１２は表向きとなっている。
また、図４４は袋帯ａ”において太鼓用枕４０を枕紐４１，４１及び帯揚げｂと共に第１、第２折曲部に対応する位置に横断して載置する。図４４は袋帯ａ” の第１折曲部で折曲した状態を示す断面図である。
【００４０】
図４５に示すように袋帯ａ”の場合には、名古屋帯ａにおける第２折曲部１４を第１折曲部の内側に入るように更に折曲して、この折曲部を第２−２折曲部１４’とする。このように袋帯ａ”の場合には３度の帯体折曲工程を経ることになり、その分重厚な太鼓帯形態を形成することができる。
【００４１】
この折り曲げ操作の際に、タレの端縁部分を人差し指の長さだけ残して飾りタレ１０ｃとする。最終的にはこの残余部分が太鼓原形体１１の下端縁からはみ出し突出する飾りタレとなる。
【００４２】
また、図４６は袋帯ａ”を第２−２折曲部１４’で折曲してその折曲内側に腰紐ｆを挿通した状態を示す。
【００４３】
図４６に示すように、第１工程で残したタレの飾りタレ１０ｃを裏返しに折り曲げて腰紐位置部分でクリップｄ止めする。
【００４４】
図４７は袋帯ａ”の処理帯体を裏返した状態の断面図である。
【００４５】
図４８に示すように、この状態で袋帯ａ”のテ部分１８を直角方向に折曲して、名古屋帯ａにおける三角形状の直角折り部ａ’に相当する形状を形成する。その後、直角方向の折曲テ部分の幅員を二つ折りにして狭幅員として名古屋帯と同様の幅員形成をする。
【００４６】
［第７工程］
図７に示すように、図６の帯体ａの裏側１０ｂの矢印Ｓ方向に折り返して第３折曲部１７とし、帯体ａの帯柄１２が第３折曲部１７の表面に現れるようにし、図３、図４の飾りタレ１０ｃを固定したクリップｄを用いて帯体ａの直角折り部ａ’を飾りタレ１０ｃと共に固定する。
なお、図４１は、第７工程の図７の断面説明図である。
【００４７】
［第８工程］
図８及び図４１に示すように、図７で折り返した帯体ａを背負たすきｃの位置で伸延帯体１５と共に折り曲げて反対側（裏側）より見た形状が略正方形（図９参照）の状態（これを太鼓原形体という）でその両側縁部１０ｄ，１０ｄをクリップｄ，ｄで仮止めする。
【００４８】
［第９工程］
図９に示すように、裏返しの帯体ａを背負たすきｃの近傍位置で背負たすきｃを被覆する状態に折り曲げて略正方形に形成し、その後にこの略正方形の帯体、すなわち、太鼓原形体１１を着用者Ｐの手前側Ｐ１に位置させてから横側方に伸延したテ部分１８を左から着用者Ｐの背中Ｐ４を通して太鼓原形体１１の位置にまで伸延して着用者Ｐの胴体を巻く。
【００４９】
［第１０工程］
図１０に示すように、胴体を巻いたテ部分１８の上縁部を太鼓原形体１１の始端側縁部１１ｂの位置で目印クリップｄで仮止めして折り曲げ目印とする。
【００５０】
［第１１工程］
図１１に示すように、第１０工程で縦型で示した太鼓原形体１１を平面状に載置した状態で太鼓原形体１１の左方向にテ部分１８を伸延すると共に、図１２に示すように第１０工程のテ部分１８の目印クリップｄの位置から折り曲げてそのままテ部分１８を太鼓原形体１１方向に伸延する。
【００５１】
［第１２工程］
図１２に示すように、目印クリップｄの位置からテ部分１８を太鼓原形体１１に向かって折り曲げたその伸延部分のうち図１３に示すように太鼓原形体１１の右側縁端１１ｃの位置から更に左方向に折り曲げる。
【００５２】
［第１３工程］
図１３に示すように、第１２工程で左方向に折り曲げ伸延したテ部分１８において、伸延テ部分１９とその下方に重複したテ部分１８とを第１０工程の目印クリップｄと同位置でテ重ねクリップｄ’により目印とする。
【００５３】
［第１４工程］
第１３工程おいて帯体ａのテ部分１８で構成した太鼓原形体１１を着物着用者Ｐの傍らに配置しておき、図１４に示すように、太鼓原形体１１から伸延した伸延テ部分１９を着用者Ｐの左肩Ｐ２ａに掛けると共に、着物の肩部分Ｗ２において着物の襟部Ｗ１と第１３工程の伸延テ部分１９のテ重ねクリップｄ’の位置とを同じテ重ねクリップｄ’で仮止めする。
【００５４】
［第１５工程及び第１５工程−２］
図１５及び図１６に示すように、第１４工程のテ部分１８を着用者Ｐの左肩Ｐ２ａに掛けた状態でテ部分１８の垂下下方位置で着物着用者Ｐの胴体背骨部分Ｐ６を中心にして直角方向に折りそのまま着用者胴体に２周分巻く。
【００５５】
［第１６工程］
図１７に示すように、着用者Ｐの和服の襟部Ｗ１と一体に止めていた第１３工程のテ重ねクリップｄ’を外す。
【００５６】
［第１７工程］
図１８に示すように、肩にかけていた伸延テ部分１９を和服着用者Ｐの肩から下ろし背中方向に反転させる。なお、この際に反転した伸延テ部分１９の基部は胴体に巻いた帯体ａのテ部分１８で着用者胴部に締付けられている。
【００５７】
［第１８工程］
図１９に示すように、肩から下ろした伸延テ部分１９を左手でもって着用者Ｐの前面から右後に巻き、同時に着用者Ｐの前面において既に胴体に巻いているテ部分１８の上側端縁にクリップｄで固定止めする。
かかる状態は図２０に示すように、着用者Ｐの背中側で太鼓原形体１１がタレ先を右に向けた横向きの略９０度反転状態に変位している。
【００５８】
［第１９工程及び第１９工程―２］
第１９工程において、図２０に示すように着用者Ｐの背中側で横向きの略９０度反転状態となっている太鼓原形体１１では無端状の背負たすきｃの両側のたすき部分が太鼓原形体１１の上下方向に突出した状態となり、背負たすきｃの無端状の結束部３１は上方に位置している。この状態から図２１に示すように、略９０度反対方向に戻して正規の太鼓原形体位置に修正する。
【００５９】
［第２０工程］
図２２に示すように、太鼓原形体１１の上下方向に突出した状態となっている輪状の両たすき部分３２，３２に着用者Ｐの左右の両腕をそれぞれ挿入してたすき部分３２，３２を肩にかけて太鼓原形体１１を背中に背負った状態とする。かかる状態では太鼓原形体１１が背中の所定位置にきて、かつ背負たすきｃによって吊下支持されている。
かかる修正された太鼓原形体１１の姿において、太鼓原形体１１の下側縁左右端部１１ｄ、１１ｄを手動で適宜下方に引っ張ることにより少々の太鼓原形体１１の傾斜を修正して正しい姿の太鼓原形体１１の位置に補正する。
【００６０】
［第２１工程及び第２１工程−２］
図２３に示すように、太鼓原形体１１を背負った状態で太鼓用枕４０の左右の枕紐４１，４１を引っ張り出して着用者Ｐの手前側で固く結束する。同時に図２４示すように、結束部４１ａはテ部分１８の胴巻きの中に包み隠す。
【００６１】
［第２２工程］
第１８工程で肩から下ろした伸延テ部分１９を胴部に巻いてクリップ止めした状態において余分な長すぎる伸延テ部分１９が生じた場合は、図２５に示すように、適当に折り曲げてクリップ止めしておく。
【００６２】
［第２３工程］
図２６に示すように、腰紐ｆの左右端部を手前側で緊締し、また、必要に応じて背中側で垂下したままの太鼓用枕収納の帯揚げｂの両端ｂ１，ｂ１を一旦手前側で仮結びして着付け操作の支障にならないようにしておく。
【００６３】
［第２４工程］
図２７に示すように、第１８工程において着用者Ｐの前面において既に胴部に巻いている伸延テ部分１９を上側端縁のクリップ止めを解除してフリー状態とする。
【００６４】
［第２５工程及び第２５工程−２］
図２８及び図２９に示すように前工程のフリー状態の伸延テ部分１９は第２工程の第２折曲部１４間に挿通した腰紐ｆに沿って左側から太鼓原形体１１の第２折曲部１４間に挿通して右側から出すと共に、余分の伸延テ部分１９は適当に折曲して太鼓原形体１１内に押し込む。なお、図２９に示した各クリップは取り外す。
【００６５】
［第２６工程］
図３０に示すように、帯締めｅは第２工程の第２折曲部１４間に挿通した腰紐ｆに沿って太鼓原形体１１内を挿通し手前側で結束して太鼓原形体１１と胴部に巻いたテ部分とを一体に緊締する。
【００６６】
［第２７工程］
図３１に示すように、胴体に巻いた第２３工程の腰紐ｆは解除して除去する。
【００６７】
［第２８工程］
図３２及び図３３に示すように、両肩Ｐ２から背負たすきｃを外し、両端の結束３１を解除して一本の紐として太鼓原形体１１から抜き去る。
【００６８】
［第２９工程］
図３４及び図３５に示すように、帯揚げｂの両端部ｂ１，ｂ１を手前側で結束して胴周りに巻いたテ巻き中に押込み太鼓原形体１１の形を整える。
【００６９】
［第３０工程］
図３６は上記の工程を経て完成した太鼓帯結束の完成した斜視図である。
【００７０】
本発明の太鼓帯結束方法は、上記のように構成されており、その特徴となる工程は第６工程において帯体ａの裏側１０ｂに無端状の背負たすきｃを太鼓用枕４０の周りに囲繞する状態で載置したことにあり、太鼓帯結束方法は最後に第２８工程において両肩Ｐ２から背負たすきｃを外すことにある。
【００７１】
更には各種クリップを用いて仮止めや本止めやクリップ解除や目印止めや各種の解除等を行い複雑な帯体の巻き動作や折曲げ位置目印や処理帯体の保持等を円滑に、かつ、確実に短時間で行えるようにしたことに特徴を有する。例えば、第７工程や第８工程や第１０工程や第１１工程や第１２工程や第１３工程や第１４工程や第１６工程や第１８工程や第２２工程や第２４工程や第２５工程、第２５工程―２等においてクリップの使用解除形態を説明したように各種クリップにより太鼓帯結束作業を円滑に行うことができる。
【００７２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００７３】
Ｋ  太鼓帯
ａ  帯体
ａ’  直角折り部
ａ”  袋帯
１０ａ  表側
１０ｂ  裏側
１０ｃ  飾りタレ
１０ｄ  側縁部
１１  太鼓原形体
１１ｂ  始端側縁部
１１ｃ  右側縁端
１２  帯柄
１３  第１折曲部
１４  第２折曲部
１４’  第２−２折曲部
１５  伸延帯体
１７  第３折曲部
１８  テ部分
１９  伸延テ部分
ｂ  帯揚げ
ｂ１  両端部
ｃ  背負たすき
３０  端部
３１  結束部
３２  たすき部分
ｄ  クリップ
ｄ’  テ重ねクリップ
ｅ  帯締め
ｆ  腰紐
ｆ１  端部
４０太鼓用枕
４１  枕紐
４１ａ  結束部
４２  両端部
Ｐ  着用者
Ｐ１  手前側
Ｐ２  両肩
Ｐ２ａ  左肩
Ｐ３  両腕
Ｐ３ａ  左手
Ｐ４  背中
Ｐ５  胴回り
Ｐ６  胴体背骨部分
Ｗ  和服の着物
Ｗ１  着物の襟部
Ｗ２  着物の肩部分
Ｗ３  着物胴体
【図１】
2019163563.tif 000003
【図２】
2019163563.tif 000004
【図３】
2019163563.tif 000005
【図４】
2019163563.tif 000006
【図５】
2019163563.tif 000007
【図６】
2019163563.tif 000008
【図７】
2019163563.tif 000009
【図８】
2019163563.tif 000010
【図９】
2019163563.tif 000011
【図１０】
2019163563.tif 000012
【図１１】
2019163563.tif 000013
【図１２】
2019163563.tif 000014
【図１３】
2019163563.tif 000015
【図１４】
2019163563.tif 000016
【図１５】
2019163563.tif 000017
【図１６】
2019163563.tif 000018
【図１７】
2019163563.tif 000019
【図１８】
2019163563.tif 000020
【図１９】
2019163563.tif 000021
【図２０】
2019163563.tif 000022
【図２１】
2019163563.tif 000023
【図２２】
2019163563.tif 000024
【図２３】
2019163563.tif 000025
【図２４】
2019163563.tif 000026
【図２５】
2019163563.tif 000027
【図２６】
2019163563.tif 000028
【図２７】
2019163563.tif 000029
【図２８】
2019163563.tif 000030
【図２９】
2019163563.tif 000031
【図３０】
2019163563.tif 000032
【図３１】
2019163563.tif 000033
【図３２】
2019163563.tif 000034
【図３３】
2019163563.tif 000035
【図３４】
2019163563.tif 000036
【図３５】
2019163563.tif 000037
【図３６】
2019163563.tif 000038
【図３７】
2019163563.tif 000039
【図３８】
2019163563.tif 000040
【図３９】
2019163563.tif 000041
【図４０】
2019163563.tif 000042
【図４１】
2019163563.tif 000043
【図４２】
2019163563.tif 000044
【図４３】
2019163563.tif 000045
【図４４】
2019163563.tif 000046
【図４５】
2019163563.tif 000047
【図４６】
2019163563.tif 000048
【図４７】
2019163563.tif 000049
【図４８】
2019163563.tif 000050
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
和服締め込み着用のための名古屋帯等の一定の幅員と長さを有する帯体を複数回折曲して太鼓原形体を形成する際に太鼓原形体の内部に太鼓用枕と、両端部を解除自在に結束した無端状とした背負たすきとを収納し、無端状の背負たすきを介して太鼓原形体を背中に背負いながら太鼓帯結束作業を行うことを特徴とした太鼓帯結束方法。
【請求項２】
背負たすきを介して太鼓原形体を背中に着用後は両端の結束部を解いた背負たすきを太鼓原形体から取り去る
ことを特徴とした請求項１に記載の太鼓帯結束方法。
【請求項３】
太鼓原形体作成から太鼓帯結束完了までに使用する結束具としては、少なくとも、名古屋帯等の一定幅員と長さを有する帯体と、帯体を所定の形状に折曲して太鼓原形体を形成した後に太鼓原形体内部に挿通して着用者の手前側で両端を緊締することにより太鼓原形体を着用者の背中に緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとより構成した
ことを特徴とした請求項１又は請求項２に記載の太鼓帯結束方法。
【手続補正２】
【補正対象書類名】明細書
【補正対象項目名】０００６
【補正方法】変更
【補正の内容】
【０００６】
この発明は、和服締め込み着用のための名古屋帯等の一定の幅員と長さを有する帯体を複数回折曲して太鼓原形体を形成する際に太鼓原形体の内部に太鼓用枕と、両端部を解除自在に結束した無端状とした背負たすきとを収納し、無端状の背負たすきを介して太鼓原形体を背中に背負いながら太鼓帯結束作業を行うことを特徴とした太鼓帯結束方法を提供せんとするものである。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項３の発明によれば、太鼓原形体作成から太鼓帯結束完了までに使用する結束具としては、少なくとも、名古屋帯等の一定幅員と長さの帯体と、帯体を所定の形状に折曲して太鼓原形体を形成した後に太鼓原形体内部に挿通して着用者の手前側で両端を緊締することにより太鼓原形体を着用者の背中で緊密に保持するための腰紐と、太鼓用枕を中央に包被した所定長さの帯揚げと、太鼓用枕の周辺に配置する無端状の背負たすきと、太鼓原形体作成から太鼓帯結束完了までに帯体同士の所定位置を固定し、また帯の折曲位置の目印とするために使用するクリップと、太鼓帯結束の最後に着用する帯締めとより構成したことにより、予め着付けの周辺にこれらの結束具を準備して配置しておくと着付け現場で容易に最小の動作により正確な太鼓帯結束作業を行うことができる効果がある。
【手続補正６】
【補正対象書類名】明細書
【補正対象項目名】００１５
【補正方法】変更
【補正の内容】
【００１５】
この発明の要旨は、和服締め込み着用のための名古屋帯等の一定の幅員と長さを有する帯体を複数回折曲して太鼓原形体を形成する際に太鼓原形体の内部に太鼓用枕と、両端部を解除自在に結束した無端状とした背負たすきとを収納し、無端状の背負たすきを介して太鼓原形体を背中に背負いながら太鼓帯結束作業を行うことを特徴とした太鼓帯結束方法を提供する。
【手続補正７】
【補正対象書類名】明細書
【補正対象項目名】００１７
【補正方法】削除
【補正の内容】
【手続補正８】
【補正対象書類名】明細書
【補正対象項目名】００３７
【補正方法】変更
【補正の内容】
【００３７】
［第６工程］
図６に示すように、帯体ａの裏側１０ｂにおいて太鼓用枕４０の周りを囲繞する状態に無端状の背負たすきｃを載置する。背負たすきｃの無端状の両端部３０，３０は帯体ａの両側縁部１０ｄ，１０ｄから伸延した状態とする。
なお、無端状とするための背負たすきｃの解除可能な結束部３１は着付け者の左側に位置するようにしておく。
なお、図４０は、第６工程の図６の断面説明図である。
なお、太鼓用枕４０の周りを囲繞する背負たすきｃは、第２工程で第２折曲部１４の間に挿通した腰紐ｆと共用して太鼓用枕４０を囲繞するようにしてもよい。
【手続補正９】
【補正対象書類名】明細書
【補正対象項目名】００４７
【補正方法】変更
【補正の内容】
【００４７】
［第８工程］
図８及び図４２に示すように、図７で折り返した帯体ａを背負たすきｃの位置で伸延帯体１５と共に折り曲げて反対側（裏側）より見た形状が略正方形（図９参照）の状態（これを太鼓原形体という）でその両側縁部１０ｄ，１０ｄをクリップｄ，ｄで仮止めする。
【手続補正１０】
【補正対象書類名】明細書
【補正対象項目名】００６７
【補正方法】変更
【補正の内容】
【００６７】
［第２８工程及び第２８工程−２］
図３２及び図３３に示すように、両肩Ｐ２から背負たすきｃを外し、両端の結束３１を解除して一本の紐として太鼓原形体１１から抜き去る。
【手続補正１１】
【補正対象書類名】明細書
【補正対象項目名】００６８
【補正方法】変更
【補正の内容】
【００６８】
［第２９工程及び第２９工程−２］
図３４及び図３５に示すように、帯揚げｂの両端部ｂ１，ｂ１を手前側で結束して胴周りに巻いたテ巻き中に押込み太鼓原形体１１の形を整える。